(57)【特許請求の範囲】
【請求項１】
軽油以外の成分を含む不正軽油を識別するための軽油識別方法において、
識別対象であるサンプルの色度値をＡＳＴＭ色試験方法により検出し、この色度値を色度しきい値と比較する色判定工程と、
前記サンプルによる吸光度の一次微分値のスペクトルを測定し、このスペクトルの所定の波長領域の面積値を特徴量として面積しきい値と比較する面積値判定工程と、を有し、
前記色判定工程及び面積値判定工程における比較結果を用いて前記サンプルが不正軽油であるか否かを識別することを特徴とする軽油識別方法。
【請求項２】
軽油以外の成分を含む不正軽油を識別するための軽油識別方法において、
識別対象であるサンプルの色度値をＡＳＴＭ色試験方法により検出し、この色度値を色度しきい値と比較する色判定工程と、
前記サンプルによる吸光度の一次微分値のスペクトルを測定し、このスペクトルにおける二波長に対応する二つの前記一次微分値の差の値を特徴量として差のしきい値と比較する差の値判定工程と、を有し、
前記色判定工程及び差の値判定工程における比較結果を用いて前記サンプルが不正軽油であるか否かを識別することを特徴とする軽油識別方法。
【請求項３】
請求項１に記載した軽油識別方法において、
前記面積値判定工程は、複数の波長領域の面積値をそれぞれ個別の面積しきい値と順次比較する複数の比較工程を有しており、
前記色判定工程、または、前記複数の比較工程のうちのいずれかの比較工程により前記サンプルが不正軽油と判定されたときに、前記サンプルが不正軽油であると識別することを特徴とする軽油識別方法。
【請求項４】
請求項２に記載した軽油識別方法において、
前記差の値判定工程は、複数の差の値をそれぞれ個別の差のしきい値と順次比較する複数の比較工程を有しており、
前記色判定工程、または、前記複数の比較工程のうちのいずれかの比較工程により前記サンプルが不正軽油と判定されたときに、前記サンプルが不正軽油であると識別することを特徴とする軽油識別方法。
【請求項５】
請求項１〜４の何れか１項に記載した軽油識別方法において、
前記面積値判定工程または前記差の値判定工程は、前記サンプルによる近赤外光の吸光度の一次微分値のスペクトルを測定することを特徴とする軽油識別方法。
【請求項６】
軽油以外の成分を含む不正軽油を識別するための軽油モニタにおいて、
識別対象であるサンプルに光を照射する光源と、
前記サンプルの透過光から前記サンプルの色度値をＡＳＴＭ色試験方法により検出し、検出した前記色度値を色度しきい値と比較する色判定手段と、
前記サンプルによる吸光度の一次微分値のスペクトルを測定するスペクトル測定手段と、
前記スペクトルの所定の波長領域の面積値を特徴量として面積しきい値と比較する面積値判定手段と、
前記色判定手段及び面積値判定手段による比較結果を用いて前記サンプルが不正軽油であるか否かを識別する識別手段と、
を備えたことを特徴とする軽油モニタ。
【請求項７】
軽油以外の成分を含む不正軽油を識別するための軽油モニタにおいて、
識別対象であるサンプルに光を照射する光源と、
前記サンプルの透過光から前記サンプルの色度値をＡＳＴＭ色試験方法により検出し、検出した前記色度値を色度しきい値と比較する色判定手段と、
前記サンプルによる吸光度の一次微分値のスペクトルを測定するスペクトル測定手段と、
前記スペクトルにおける二波長に対応する二つの前記一次微分値の差の値を特徴量として差のしきい値と比較する差の値判定手段と、
前記色判定手段及び差の値判定手段による比較結果を用いて前記サンプルが不正軽油であるか否かを識別する識別手段と、
を備えたことを特徴とする軽油モニタ。
【請求項８】
請求項６または７に記載した軽油モニタにおいて、
前記スペクトル測定手段は、前記サンプルによる近赤外光の吸光度の一次微分値のスペクトルを測定することを特徴とする軽油モニタ。
【発明の詳細な説明】
【技術分野】
【０００１】
本発明は、軽油以外の成分を含む不正軽油を識別するための軽油識別方法、及びこの識別方法を実施する軽油モニタに関するものである。
【背景技術】
【０００２】
ディーゼルエンジンを使用する自動車や重機等の燃料として、一部で不正軽油が販売、使用されている。これらの不正軽油は、主に、灯油や重油を軽油に混合したものや、あるいは重油を脱色したものを軽油と称しているものがほとんどである。
不正軽油の流通は、その使用によって環境汚染やエンジンの故障、寿命低下を招くため、従来より種々の不正軽油識別方法が提供されている。
【０００３】
不正軽油識別方法の代表的なものとしては、灯油及び重油に識別剤としてクマリンを添加しておき、燃料タンク等から抜き取った燃料を分析してクマリンが検出されれば、軽油であるべき燃料に灯油また重油が混入していることから不正軽油と識別する方法があり、この方法は特許文献１に記載されている。
また、上述したクマリン分析に用いる軽油識別剤として、低温におけるクマリンの析出を防止するようにした技術が特許文献２に記載されている。
【０００４】
更に、クマリン分析における燃料抜き取り作業の繁雑さを解消する他の不正軽油識別方法として、自動車等の排気ガスに含まれる硫黄酸化物量が所定値以上である場合に不正軽油の使用と判定する方法が、特許文献３に記載されている。
他の方法として、特許文献４に記載されているように、ガスクロクロマトグラフィを用いてサンプルの成分を分析することにより、軽油と不正軽油とを識別する方法もある。
【０００５】
【特許文献１】特開平１０−３８８７８号公報（段落［０００４］〜［００１３］等）
【特許文献２】特開平５−４９３６号公報（段落［０００８］〜［００１４］等）
【特許文献３】特開２００４−２１９２６９号公報（段落［００１６］〜［００２３］等）
【特許文献４】特開２００６−号公報（段落［００２０］〜［００３３］等）
【発明の開示】
【発明が解決しようとする課題】
【０００６】
前述したクマリン分析による識別方法は、溶媒を用いて分留・抽出したクマリン抽出液に紫外線を当てて蛍光を測定するという紫外線蛍光法を用いており、一連の識別作業が煩雑で多くの時間がかかると共に、廃液処理に伴うコストや作業上の問題がある。
また、クマリン分析による識別方法も含めて、何れの従来技術でも、１サンプル当たり多くの費用が必要なため、不正軽油の使用を取り締まる自治体等にとって大きな負担となっていた。
更に、サンプルの密度や屈折率から不正軽油を識別する方法も提案されているが、例えば灯油と重油を混合したものと軽油との識別が困難である。
【０００７】
そこで、本発明の解決課題は、低コストにて容易かつ確実に不正軽油を識別可能とした軽油識別方法及び軽油モニタを提供することにある。
【課題を解決するための手段】
【０００８】
上記課題を解決するため、請求項１に係る軽油識別方法は、軽油以外の成分を含む不正軽油を識別するための軽油識別方法において、
識別対象であるサンプルの色度値をＡＳＴＭ色試験方法により検出し、この色度値を色度しきい値と比較する色判定工程と、
前記サンプルによる吸光度の一次微分値のスペクトルを測定し、このスペクトルの所定の波長領域の面積値を特徴量として面積しきい値と比較する面積値判定工程と、を有し、
前記色判定工程及び面積値判定工程における比較結果を用いて前記サンプルが不正軽油であるか否かを識別するものである。
【０００９】
請求項２に係る軽油識別方法は、前記色判定工程と、前記サンプルによる吸光度の一次微分値のスペクトルを測定し、このスペクトルにおける二波長に対応する二つの前記一次微分値の差の値を特徴量として差のしきい値と比較する差の値判定工程と、を有し、
前記色判定工程及び差の値判定工程における比較結果を用いて前記サンプルが不正軽油であるか否かを識別するものである。
【００１０】
請求項３に係る軽油識別方法は、請求項１において、前記面積値判定工程は、複数の波長領域の面積値をそれぞれ個別の面積しきい値と順次比較する複数の比較工程を有しており、前記色判定工程、または、前記複数の比較工程のうちのいずれかの比較工程により前記サンプルが不正軽油と判定されたときに、前記サンプルが不正軽油であると識別するものである。
【００１１】
請求項４に係る軽油識別方法は、請求項２において、前記差の値判定工程は、複数の差の値をそれぞれ個別の差のしきい値と順次比較する複数の比較工程を有しており、前記色判定工程、または、前記複数の比較工程のうちのいずれかの比較工程により前記サンプルが不正軽油と判定されたときに、前記サンプルが不正軽油であると識別するものである。
【００１２】
なお、請求項５に記載するように、前記面積値判定工程または前記差の値判定工程は、前記サンプルによる近赤外光の吸光度の一次微分値のスペクトルを測定することが望ましい。
【００１３】
上記軽油識別方法を実施するための軽油モニタは、請求項６に記載するように、軽油以外の成分を含む不正軽油を識別するための軽油モニタにおいて、
識別対象であるサンプルに光を照射する光源と、
前記サンプルの透過光から前記サンプルの色度値をＡＳＴＭ色試験方法により検出し、検出した前記色度値を色度しきい値と比較する色判定手段と、
前記サンプルによる吸光度の一次微分値のスペクトルを測定するスペクトル測定手段と、
前記スペクトルの所定の波長領域の面積値を特徴量として面積しきい値と比較する面積値判定手段と、
前記色判定手段及び面積値判定手段による比較結果を用いて前記サンプルが不正軽油であるか否かを識別する識別手段と、を備えたものである。
【００１４】
また、請求項７に記載した軽油モニタは、
前記光源及び色判定手段と、
前記サンプルによる吸光度の一次微分値のスペクトルを測定するスペクトル測定手段と、
前記スペクトルにおける二波長に対応する二つの前記一次微分値の差の値を特徴量として差のしきい値と比較する差の値判定手段と、
前記色判定手段及び差の値判定手段による比較結果を用いて前記サンプルが不正軽油であるか否かを識別する識別手段と、を備えたものである。
【００１５】
なお、請求項８に記載するように、請求項６または７における前記スペクトル測定手段は、前記サンプルによる近赤外光の吸光度の一次微分値のスペクトルを測定することが望ましい。
【発明の効果】
【００１６】
本発明に係る軽油識別方法によれば、クマリン分析における分留・抽出等の煩雑な作業が不要であり、また、廃液処理の問題も生じることなく、容易かつ短時間のうちに低コストにて不正軽油を正確に識別することができる。
更に、本発明に係る軽油モニタは、装置本体として光源、サンプル容器、カラーセンサ、分光光度計等を組み合わせ、可搬形ないし携帯形の小型の装置として実現することも容易である。
【発明を実施するための最良の形態】
【００１７】
以下、図に沿って本発明の実施形態を説明する。まず、図１は、本発明の第１実施形態に係る軽油モニタの主要部の構成図である。
図１において、１０は可視光から近赤外光に至る連続スペクトル光源としてのタングステンハロゲンランプ等の光源であり、この光源１０から出射した光は、不正軽油であるか否かを識別するべきサンプルが格納されたサンプル容器２０を透過している。この透過光は、可視光及び近赤外光用のビームスプリッタ３０に入射し、反射光はカラーセンサ４０へ、透過光は近赤外光用の分光光度計５０に入射している。
【００１８】
カラーセンサ４０は、ビームスプリッタ３０からの反射光（可視光）を観測し、ＪＩＳ  Ｋ−２５８０「石油製品−色試験方法」に規定されたＡＳＴＭ色試験方法により、サンプルのＡＳＴＭ色度値を求める。
そして、図１に示されていないパソコン等の制御装置によりサンプルのＡＳＴＭ色度値を軽油の色度値に相当するしきい値（色度しきい値という）Ｔｃと比較して、サンプルが軽油または不正軽油である可能性を判定する。例えば、サンプルのＡＳＴＭ色度値が色度しきい値Ｔｃより小さい場合に、そのサンプルが軽油である可能性が高いと判定する。
【００１９】
また、分光光度計５０は、ビームスプリッタ３０の透過光（近赤外光）のスペクトルを測定するものである。そして、前記制御装置を用いて、後述するように上記スペクトルを解析することにより、サンプルが軽油または不正軽油である可能性を判定する。
【００２０】
次に、図２は、本発明の第２実施形態に係る軽油モニタの主要部の構成図である。
この実施形態では、図１におけるビームスプリッタ３０を省略し、かつ、可視光及び近赤外用の分光光度計６０を用いている。分光光度計６０は、第１実施形態と同様にサンプル容器２０を透過した近赤外光のスペクトルを測定する機能を有するほか、前記カラーセンサ４０の機能を備えており、サンプル容器２０を透過した可視光を対象としてＡＳＴＭ色試験方法によるサンプルのＡＳＴＭ色度値の測定が可能である。
【００２１】
なお、図示されていないが、サンプル容器２０を透過した光を、光ファイバケーブルを介して可視光及び近赤外光用の分光光度計６０に導いても良い。
【００２２】
図３は、第１実施形態または第２実施形態に係る軽油モニタの概念的な全体構成図である。
図において、装置本体１００には、図１または図２に示した各構成要素１０〜６０が収納されている。また、制御装置２００は、パソコンやＰＤＡ（携帯情報端末）、簡易コントローラ等によって構成されており、各種の入力・設定操作等を行うための操作部２０１と、サンプルの色度値の比較・判定処理、後述する面積値または差の値の比較・判定処理、及び装置全体の動作制御を行う演算制御部２０２と、制御装置２００が装置本体１００との間で種々の制御信号やデータを送受信するための通信部２０３と、演算制御部２０２による比較・判定結果や各種しきい値等を記憶する記憶部２０４と、不正軽油の識別結果等を表示する表示部２０５と、を備えている。
図示されていないが、制御装置２００には、不正軽油の識別結果を音声によって警報出力する音声出力部を設けても良い。
【００２３】
ここで、上記装置本体１００は、例えば２００ｍｍ×３００ｍｍ×２００ｍｍ（縦×横×高さ）程度の箱形に形成して可搬形とすることを予定しているが、更に小型化して携帯可能に構成しても良い。勿論、制御装置２００の小型化を図ることも望ましい。
装置本体１００と制御装置２００との間の通信方式としては、ＵＳＢケーブルまたはＲＳ−２３２Ｃケーブル等を用いた有線通信や、小電力無線通信、赤外線通信、スペクトラム拡散通信、Ｂｌｕｅｔｏｏｔｈ（登録商標）通信等の無線通信を用いることができる。
【００２４】
上記構成において、装置本体１００内のカラーセンサ４０または分光光度計６０は、制御装置２００内の演算制御部２０２とあいまって請求項における色判定手段として機能している。また、分光光度計５０または分光光度計６０は同じくスペクトル測定手段として機能し、演算制御部２０２は面積値判定手段、差の値判定手段、識別手段として機能している。
【００２５】
次に、分光光度計５０または６０におけるスペクトルの解析原理について説明する。
まず、発明者は、分光光度計５０または６０により測定される近赤外線の吸光度一次微分値のスペクトルは、サンプルが軽油の場合と不正軽油の場合とで顕著に相違するという知見を得た。
ここで、図４は光の波長が９１０［ｎｍ］〜９４０［ｎｍ］までの吸光度一次微分値のスペクトル、図５は光の波長が８５０［ｎｍ］〜８９０［ｎｍ］までの吸光度一次微分値のスペクトルである。なお、これらのスペクトルの測定では、凡例に示すように、軽油として２号軽油ａ，２号軽油ｂ（ａ，ｂの相違は元売り会社の相違），３号軽油，特３号軽油を用い、不正軽油として重油＋灯油（各５０％），重油，灯油を用いている。
【００２６】
図４，図５から明らかなように、軽油及び不正軽油のスペクトルは、ある波長領域において明確な相違があり、この相違に着目すれば不正軽油の識別が可能である。
すなわち、図４において、例えば９１７［ｎｍ］〜９２８［ｎｍ］の波長領域Ａ１’に着目すると、不正軽油では、吸光度の一次微分値が軽油に比べておおむね負側に大きくなっている。また、図５において、８６０［ｎｍ］〜８７０［ｎｍ］の波長領域Ａ３’に着目すると、不正軽油では、吸光度の一次微分値が軽油に比べておおむね正側に大きく、同じく８７４［ｎｍ］〜８８６［ｎｍ］の波長領域Ａ２’に着目すると、不正軽油では、吸光度の一次微分値が軽油に比べておおむね負側に大きくなっている。
このため、これらの波長領域Ａ１’，Ａ２’，Ａ３’における吸光度一次微分値の面積値を特徴量として用い、この特徴量を所定のしきい値（面積しきい値という）と比較することによって不正軽油を識別することができる。
【００２７】
また、ある波長領域における吸光度一次微分値の面積値だけでなく、吸光度一次微分値のスペクトルにおける選択した２つの波長の各値（一次微分値）の差の値を特徴量として用いても良い。
例えば、図４の９２８［ｎｍ］に対応する吸光度一次微分値と９１７［ｎｍ］に対応する吸光度一次微分値との差の値や、図示されていないが、９８２［ｎｍ］に対応する吸光度一次微分値と９６７［ｎｍ］に対応する吸光度一次微分値との差の値も、軽油と不正軽油とを識別する有意な特徴量となり得るものであり、これらの特徴量を所定のしきい値（差のしきい値という）と比較することによって不正軽油を識別できることが発明者によって確認されている。
【００２８】
なお、上述した各波長の値は限定的なものではなく、他の波長によって特定される領域の面積値や差の値を特徴量として用いることも可能である。
【００２９】
ここで、特徴量として、波長領域Ａ１’，Ａ２’，Ａ３’における吸光度一次微分値の面積値（それぞれＡ１，Ａ２，Ａ３とする）を用いた場合の不正軽油の判定基準を説明すると、次の通りである。
（１）面積値Ａ１＜面積しきい値Ｔ１のとき→サンプルは不正軽油
面積値Ａ１≧面積しきい値Ｔ１のとき→サンプルは軽油
（２）面積値Ａ２＜面積しきい値Ｔ２のとき→サンプルは不正軽油
面積値Ａ２≧面積しきい値Ｔ２のとき→サンプルは軽油
（３）面積値Ａ３＜面積しきい値Ｔ３のとき→サンプルは軽油
面積値Ａ３≧面積しきい値Ｔ３のとき→サンプルは不正軽油
面積しきい値Ｔ１〜Ｔ３は、例えばＣＣＤアレイセンサにより軽油のスペクトルを撮像することによって予め求めておき、前記記憶部２０４に記憶しておくものとする。なお、これらの面積しきい値Ｔ１〜Ｔ３の具体的数値はＣＣＤアレイセンサの画素数や感度に依存するため、一意的に決定されるものではない。また、上記判定に用いる面積値Ａ１〜Ａ３も同様に撮像して測定される。
【００３０】
また、特徴量として、図４の９２８［ｎｍ］に対応する吸光度一次微分値と９１７［ｎｍ］に対応する吸光度一次微分値との差の値（Ｍ１とする）、及び、図示されていない９８２［ｎｍ］に対応する吸光度一次微分値と９６７［ｎｍ］に対応する吸光度一次微分値との差の値（Ｍ２とする）を用いた場合の不正軽油の判定基準を説明すると、次の通りである。
（４）差の値Ｍ１＜差のしきい値ｔ１のとき→サンプルは不正軽油
差の値Ｍ１≧差のしきい値ｔ１のとき→サンプルは軽油
（５）差の値Ｍ２＜差のしきい値ｔ２のとき→サンプルは不正軽油
差の値Ｍ２≧差のしきい値ｔ２のとき→サンプルは軽油
これらの差のしきい値ｔ１〜ｔ３についても、例えばＣＣＤアレイセンサにより軽油のスペクトルを撮像することによって予め求めておき、前記記憶部２０４に記憶しておくものとする。なお、差のしきい値ｔ１〜ｔ３の具体的数値も前記同様の理由によって一意的に決定されるものではない。また、上記判定に用いる差の値Ｍ１〜Ｍ３も同様に撮像して測定される。
【００３１】
次に、この実施形態における一連の不正軽油識別処理を、図６のフローチャートを参照しつつ説明する。この不正軽油識別処理は、前述したＡＳＴＭ色による判定（請求項における色判定工程という）と、吸光度の一次微分値のスペクトルに基づく判定とを組み合わせたものであり、スペクトルに基づく判定では、特徴量として前述の面積値Ａ１，Ａ２，Ａ３を用いた判定（請求項における面積値判定工程という）を行っている。
なお、スペクトルに基づく判定は、前述した差の値Ｍ１，Ｍ２を用いた判定（請求項における差の値判定工程という）を行っても良い。
【００３２】
まず、識別対象であるサンプルについてＡＳＴＭ色を測定し（ステップＳ１）、制御装置２００内の演算制御部２０２が、測定した色度値を色度しきい値Ｔｃと比較する（Ｓ２）。その結果、サンプルの色度値が色度しきい値Ｔｃ以上でない場合には（Ｓ２ ＮＯ）、軽油の可能性が高いと判断して判定ビットの１番目に「１」を立てて（Ｓ２１）ステップＳ３に移行する。サンプルの色度値が色度しきい値Ｔｃ以上である場合にも（Ｓ２ ＹＥＳ）、ステップＳ３に移行する。
【００３３】
次いで、分光光度計５０または６０により、図４，図５に示したような吸光度一次微分値のスペクトルを測定する（Ｓ３）。
その結果、制御装置２００内の演算制御部２０２は、前述した面積値Ａ１に関する判定基準により、Ａ１＜Ｔ１でないとき（Ａ１≧Ｔ１のとき）は、サンプルは軽油の可能性が高いと判定して判定ビットの２番目に「１」を立てて（Ｓ４ ＮＯ，Ｓ４１）ステップＳ５に移行する。Ａ１＜Ｔ１である場合にも（Ｓ４ ＹＥＳ）、ステップＳ５に移行する。
【００３４】
次に、前述した面積値Ａ２に関する判定基準により、Ａ２＜Ｔ２でないとき（Ａ２≧Ｔ２のとき）は、サンプルは軽油の可能性が高いと判定して判定ビットの３番目に「１」を立てて（Ｓ５ ＮＯ，Ｓ５１）ステップＳ６に移行する。Ａ２＜Ｔ２である場合にも（Ｓ５ ＹＥＳ）、ステップＳ６に移行する。
【００３５】
更に、前述した面積値Ａ３に関する判定基準により、Ａ３≧Ｔ３でないとき（Ａ３＜Ｔ３のとき）は、サンプルは軽油の可能性が高いと判定して判定ビットの４番目に「１」を立てて（Ｓ６ ＮＯ，Ｓ６１）ステップＳ７に移行する。Ａ３≧Ｔ３である場合にも（Ｓ６ ＹＥＳ）、ステップＳ７に移行する。
【００３６】
その後、演算制御部２０２は、第１番目〜第４番目の判定ビットが全て「１」かどうかを判断する（Ｓ７）。
その結果、判定ビットが全て「１」であれば（Ｓ７ ＹＥＳ）、サンプルは軽油であると判定し（Ｓ８）、「１」でない判定ビットが一つでもあれば（Ｓ７ ＮＯ）、サンプルは不正軽油であると判定する（Ｓ８１）。
そして、これらの識別結果を、制御装置２００の表示部２０５に表示するものである。
【００３７】
上記一連の処理において、ステップＳ２は色判定工程に相当し、ステップＳ３，Ｓ４，Ｓ５，Ｓ６は面積値判定工程に相当している。
なお、カラーセンサ４０や分光光度計５０または６０の検出信号によって光源１０の異常やスペクトルの異常が検出された場合には、例えば表示部２０５によって「未知」という表示を行わせたり、音声出力部から警報を出力させても良い。
【００３８】
以上のように、本発明に係る軽油識別方法及び軽油モニタによれば、ＡＳＴＭ色による色判定と面積値判定または差の値判定とを組み合わせ、特に面積値判定または差の値判定では複数の特徴量を用いて複数回の判定処理を順次行うことにより、不正軽油を短時間で正確かつ容易に識別することができる。
【図面の簡単な説明】
【００３９】
【図１】本発明の第１実施形態の主要部の構成図である。
【図２】本発明の第２実施形態の主要部の構成図である。
【図３】本発明の第１または第２実施形態の概念的な全体構成図である。
【図４】サンプルによる吸光度一次微分値のスペクトルを示す図である。
【図５】サンプルによる吸光度一次微分値のスペクトルを示す図である。
【図６】本発明の実施形態における不正軽油識別処理を示すフローチャートである。
【符号の説明】
【００４０】
１０：光源
２０：サンプル容器
３０：ビームスプリッタ
４０：カラーセンサ
５０，６０：分光光度計
１００：装置本体
２００：制御装置
２０１：操作部
２０２：演算制御部
２０３：通信部
２０４：記憶部
２０５：表示部
【図１】
0005169190.tif 000002
【図２】
0005169190.tif 000003
【図３】
0005169190.tif 000004
【図４】
0005169190.tif 000005
【図５】
0005169190.tif 000006
【図６】
0005169190.tif 000007